(57)【要約】【課題】  合板からなる床材の反り発生を効果的に抑制し、且つ非暖房部位を極力少なくでき、さらには断熱材の保持構造も簡略化した、床暖房パネルを提供する。【解決手段】  全域で板厚が均一な表層合板２ａおよび収納凹所２１が設けられた基層合板２ｂとが互いに貼り合わされてなる床材２と、表層合板２ａおよび基層合板２ｂの間にて基層合板２ｂの収納凹所２１の上方位置に設けられた発熱体３と、表層合板２ａおよび基層合板２ｂの間にて発熱体３より広い範囲を覆うように設けられた均熱材５と、基層合板２ｂの収納凹所２１内にて発熱体３の下方位置に設けられた断熱材４とを有している。【選択図】図１
2006125682.tif 000002
【特許請求の範囲】
【請求項１】
全域で層構成が同じで板厚が均一な表層合板および収納凹所が設けられた基層合板が互いに貼り合わされてなる床材と、表層合板および基層合板の間にて基層合板の収納凹所の上方位置に設けられた発熱体と、表層合板および基層合板の間にて発熱体より広い範囲を覆うように設けられた均熱材と、基層合板の収納凹所内にて発熱体の下方位置に設けられた断熱材とを有していることを特徴とする床暖房パネル。
【請求項２】
基層合板の収納凹所内にて断熱材の幅方向中央位置に長手方向に渡って設けられた、上方からの荷重に対して表層合板を下方から補強する補強板をさらに備えていることを特徴とする請求項１記載の床暖房パネル。
【請求項３】
補強板は、表層合板を補強する剛性を有しているとともに、少なくともその表面が表層合板よりも柔らかい材質を有していることを特徴とする請求項２記載の床暖房パネル。
【発明の詳細な説明】
【技術分野】
【０００１】
本願発明は、床材・ヒータ一体型の電気式の床暖房パネルに関するものである。
【背景技術】
【０００２】
上記床暖房パネルについては、たとえば図５に例示したように、床材２の裏面側に収納凹所２１を設け、これに発熱体３および断熱材４を順に納めたものが知られている（たとえば特許文献１，２参照）。
【特許文献１】特開２００２−１９５５９１号公報
【特許文献２】特開平１１−３０３２９０号公報
【発明の開示】
【発明が解決しようとする課題】
【０００３】
しかしながら、上記のとおりの従来の床暖房パネル１では、図６に例示したように床材２として合板を使用した場合、収納凹所２１を形成した部位とその周囲の部位とで板厚が異なり、バランスが崩れるために、合板に反りが発生し、床材２としての品質を維持することが難しくなる恐れがあった。
【０００４】
一方、この合板の反りを抑制するために、図７に例示したように、層構成を通常より密にした平板状の合板に対して、その裏面側部に通常の層構成の棒状合板を設けて、それらの間に収納凹所２１を形成することも考えられる。
【０００５】
しかしながら、合板の反りを抑制できるとしても、層構成の異なる２種類の合板を用意する必要があるために、合板品種が増えてしまう。
【０００６】
また、上記両構成に共通することであるが、図８からも明らかなように、収納凹所２１の周囲部位は発熱体３のない非暖房部位となるため、温度ムラがどうしても生じてしまう。
【０００７】
またさらに、発熱体３の下方に位置する断熱材４については、下方に開口した収納凹所２１内に保持するための手段が必要であるため、床材２や収納凹所２１などの構造が複雑化する。
【０００８】
そこで、以上のとおりの事情に鑑み、本願発明は、合板からなる床材の反り発生を効果的に抑制し、且つ非暖房部位を極力少なくでき、さらには断熱材の保持構造も簡略化した、床暖房パネルを提供することを課題としている。
【課題を解決するための手段】
【０００９】
本願発明は、上記の課題を解決するものとして、第１には、全域で板厚が均一な表層合板および収納凹所が設けられた基層合板が互いに貼り合わされてなる床材と、表層合板および基層合板の間にて基層合板の収納凹所の上方位置に設けられた発熱体と、表層合板および基層合板の間にて発熱体より広い範囲を覆うように設けられた均熱材と、基層合板の収納凹所内にて発熱体の下方位置に設けられた断熱材とを有していることを特徴とする。
【００１０】
第２には、基層合板の収納凹所内にて断熱材の幅方向中央位置に長手方向に渡って設けられた、上方からの荷重に対して表層合板を下方から補強する補強板をさらに備えていることを特徴とする。
【００１１】
第３には、補強板は、表層合板を補強する剛性を有しているとともに、少なくともその表面が表層合板よりも柔らかい材質を有していることを特徴とする。
【発明の効果】
【００１２】
上記第１の発明によれば、まず、床材を収納凹所のない均一板厚の表層合板と収納凹所のある基層合板との上下２枚構成とすることで、表層合板の反り発生が効果的に抑制されて、高い品質を維持した床材が実現される。
【００１３】
また、表層合板と基層合板間にて、基層合板の収納凹所の上方に発熱体を設け、且つそのさらに上方に発熱体よりも広い範囲を覆うように均熱板を設けることで、発熱体からの熱をより広い範囲に伝えて、非暖房部位を低減することができる。
【００１４】
そして、断熱材については、基層合板において上方に開口した収納凹所に設ければよいので、従来のように床材裏面側にて下方に開口した収納凹所に設ける場合と比較して、特殊な保持構造やそのための複雑な加工が不要となり、断熱材に関する構成及び施工を簡略化することができる。
【００１５】
したがって、床材の反り防止、非暖房部位の低減、断熱構造の簡略化を実現した床暖房パネルが提供されるのである。
【００１６】
上記第２の発明によれば、上記第１の発明と同様な効果が得られ、また、上記のとおりの補強板の存在により、上方から表層合板に荷重がかかった際にその荷重とともに表層合板を受け支えることができ、よって表層合板のたわみの発生を効果的に抑制できるようになる。
【００１７】
上記第３の発明によれば、上記第２の発明と同様な効果が得られ、また、補強板が、上記のとおりに表層合板を受け支えて補強できる程度の剛性を有しているとともに、表層合板よりも柔らかい材質の表面を少なくとも有していることで、上方から表層合板に荷重がかかった際に、表層合板の下方に位置する発熱体への傷付きを防ぐことができる。
【発明を実施するための最良の形態】
【００１８】
図１および図２は、各々、本願発明の一実施形態を示したものである。
【００１９】
本実施形態における床暖房パネル１では、まず、床材２が、矩形状の表層合板２ａおよび同じく矩形状の基層合板２ｂとが互いに上下に貼り合わされて構成されており、表層合板２ａには、従来の床暖房パネル１における収納凹所２１のようなものは何等設けられておらず、全域において均一な板厚となっている。これに対し、基層合板２ｂには、後述する断熱材４が納められる上方に開口した収納凹所２１が、コネクタ７等の配線具が収納される配線スペース２２を残して、設けられている。
【００２０】
これら表層合板２ａおよび基層合板２ｂの間には、発熱体３と均熱材５とが設けられており、発熱体３は、矩形型の面状タイプのもので、基層合板２ｂの収納凹所２１の上方に位置しており、均熱材５は、この発熱体３より広い範囲を覆うように、本実施形態では基層合板２ｂのほぼ全域を覆う平面寸法を有して、発熱体３の上方に位置している。
【００２１】
そして、基層合板２ｂの収納凹所２１には、発熱体３の下方に位置する断熱材４が設けられている。
【００２２】
したがって、床暖房パネル１は、収納凹所２１のない均一板厚の表層合板２ａと収納凹所２１のある基層合板２ｂとの上下２枚構成の床材２をベースに、これに上記のとおりの均熱材５、発熱体３、断熱材４が納められており、床材２の反り防止、非暖房部位の低減、断熱構造の簡略化を実現しているのである。
【００２３】
ところで、上記のとおりの床暖房パネル１において、床材２の表層合板２ａに上方から荷重がかかった場合、その下には剛性の低い発熱体３や断熱材４が広い範囲で納められているため、そのままでは表層合板２ａを十分に支持できずに、表層合板２ａにたわみが発生してしまう恐れが考えられる。そこで、基層合板２ｂの収納凹所２１内にて、矩形状の断熱材４の幅方向中央位置に長手方向に渡って、補強材６を設けることで、表層合板２ａのたわみの発生を効果的に抑制することができる。
【００２４】
より具体的には、図１および図２の実施形態では、図３にも例示したように、収納凹所２１内に、真ん中で２つに縦分割した断熱材４と、その間に嵌る棒板状の補強材６とを収納させている。これにより、基層合板２ｂの収納凹所２１内にて補強材６が通るので、上方からの荷重に対して表層合板２ａを下方から受け支えることができ、たわみが発生し難い床暖房パネル１が実現されるのである。
【００２５】
また、この補強材６については、同じく上方からの荷重に起因して発熱体３が傷付く恐れも考えられるため、たとえば、表層合板２ａを補強する剛性を有するのはもちろんのこと、これに加えて、少なくともその表面が表層合板２ａよりも柔らかい材質を有していることが好ましい。これによれば、表層合板２ａと補強材６との間に位置する発熱体３への傷付きを効果的に防ぐことができる。
【００２６】
なお、図４は、以上の本願発明の別の実施形態を示したものであり、コネクタ７等の配線具およびその配線スペース２２が、基層合板２ｂの左右の長手端部に設けられており、これを避けるようにしてほぼ全域に収納凹所２１が形成され、これに断熱材４および補強材６が収納されて、その上方に発熱体３および均熱材５が設けられた床暖房パネル１となっている。
【図面の簡単な説明】
【００２７】
【図１】本願発明の一実施形態を示した斜視図。
【図２】本願発明の一実施形態を示した断面図。
【図３】基層合板と断熱材及び補強材について説明するための斜視図。
【図４】本願発明の別の一実施形態を示した斜視図。
【図５】従来の床暖房パネルを例示した断面図。
【図６】従来の床暖房パネルにおける床材合板について説明するための断面図。
【図７】従来の床暖房パネルについて説明するための断面図。
【図８】従来の床暖房パネルについて説明するための断面図。
【符号の説明】
【００２８】
１  床暖房パネル
２  床材
２ａ  表層合板
２ｂ  基層合板
２１  収納凹所
２２  配線スペース
３  発熱体
４  断熱材
５  均熱材
６  補強材
７  コネクタ
【図１】
2006125682.tif 000003
【図３】
2006125682.tif 000004
【図４】
2006125682.tif 000005
【図６】
2006125682.tif 000006
【図７】
2006125682.tif 000007
【図８】
2006125682.tif 000008
【図２】
2006125682.tif 000009
【図５】
2006125682.tif 000010